【手続補正書】
【提出日】平成30年1月31日(2018.1.31)
【手続補正１】
【補正対象書類名】特許請求の範囲
【補正対象項目名】全文
【補正方法】変更
【補正の内容】
【特許請求の範囲】
【請求項１】
乳房をＸ線撮影することにより得られた１つ以上の乳房画像を表示する表示手段と、
前記乳房画像から乳腺領域を特定する乳腺領域特定手段と、
前記乳房画像における前記乳腺領域に関する情報を生成する乳腺情報生成手段と、
前記乳房画像における前記乳腺領域の位置及び前記乳房の撮影時にＸ線撮影装置を傾けた角度に基づいて、前記乳房を正面から見たときの前記乳腺領域の位置を推定し、更に、前記乳房画像における前記乳腺領域を複数の領域に分割し、分割した各分割領域内の画素値に基づいて、前記乳房を正面から見たときの前記乳腺領域における乳腺分布を推定する推定手段と、
前記推定手段により推定された前記乳房を正面から見たときの前記乳腺領域の位置及び前記乳腺領域における乳腺分布を示す推定臨床位置情報を生成する推定臨床位置情報生成手段と、
前記乳腺情報生成手段により生成された前記乳房画像における前記乳腺領域に関する情報及び前記推定臨床位置情報生成手段により生成された推定臨床位置情報を前記表示手段に表示させる表示制御手段と、
を備える医用画像システム。
【請求項２】
前記推定手段は、前記乳房の正面を示す画像に対し、前記乳房画像の撮影時にＸ線撮影装置を傾けた角度に基づいて前記乳房画像を傾けて配置し、前記乳房の正面を示す画像上に前記乳房画像における前記乳腺領域を投影することにより、前記乳房を正面から見たときの前記乳腺領域の位置を推定し、
前記推定臨床位置情報生成手段は、前記乳腺領域が投影された前記乳房の正面を示す画像に基づいて前記推定臨床位置情報を生成する請求項１に記載の医用画像システム。
【請求項３】
前記乳房画像における前記乳腺領域に関する情報は、前記乳房画像上に前記乳腺領域の特定結果を示した画像情報、前記乳房画像における乳腺濃度カテゴリーの情報、又は、前記乳房画像における前記乳腺領域の特徴量の少なくとも一つを含む請求項１又は２に記載の医用画像システム。
【請求項４】
前記乳腺領域の特徴量は、前記乳房画像における前記乳腺領域の面積、前記乳房画像における乳腺割合、前記乳腺領域と前記乳腺領域外の乳房領域とのコントラスト比の少なくとも一つを含む請求項３に記載の医用画像システム。
【請求項５】
前記推定臨床位置情報生成手段は、前記乳房の正面を示す画像上に前記推定手段により推定された前記乳房を正面から見たときの前記乳腺領域の位置及び前記乳腺領域における乳腺分布を示した画像を前記推定臨床位置情報として生成する請求項１〜４の何れか一項に記載の医用画像システム。
【請求項６】
前記乳腺領域特定手段は、前記乳房画像を解析することにより前記乳房画像における乳腺領域を特定する請求項１〜５の何れか一項に記載の医用画像システム。
【請求項７】
操作手段を備え、
前記乳腺領域特定手段は、前記表示手段に表示された乳房画像から前記操作手段により指定された領域を乳腺領域として特定する請求項１〜５の何れか一項に記載の医用画像システム。
【請求項８】
前記表示手段に表示された乳房画像から異常陰影候補領域を指定するための指定手段を備え、
前記推定手段は、更に、前記乳房を正面から見たときの前記異常陰影候補領域の位置を推定し、
前記推定臨床位置情報生成手段は、更に、前記推定手段により推定された前記乳房を正面から見たときの前記異常陰影候補領域の位置を示す推定臨床位置情報を生成し、
前記表示制御手段は、前記乳房を正面から見たときの前記乳腺領域の位置及び前記乳腺領域における乳腺分布を示す推定臨床位置情報及び前記乳房を正面から見たときの前記異常陰影候補領域の位置を示す推定臨床位置情報を同時に前記表示手段に表示させる請求項１〜７の何れか一項に記載の医用画像システム。
【請求項９】
前記乳房画像は、ＣＣ画像、ＭＬＯ画像、またはその両方である請求項１〜８の何れか一項に記載の医用画像システム。
【請求項１０】
コンピュータを、
乳房をＸ線撮影することにより得られた１つ以上の乳房画像を表示する表示手段、
前記乳房画像から乳腺領域を特定する乳腺領域特定手段、
前記乳房画像における前記乳腺領域に関する情報を生成する乳腺情報生成手段、
前記乳房画像における前記乳腺領域の位置及び前記乳房の撮影時にＸ線撮影装置を傾けた角度に基づいて、前記乳房を正面から見たときの前記乳腺領域の位置を推定し、更に、前記乳房画像における前記乳腺領域を複数の領域に分割し、分割した各分割領域内の画素値に基づいて、前記乳房を正面から見たときの前記乳腺領域における乳腺分布を推定する推定手段、
前記推定手段により推定された前記乳房を正面から見たときの前記乳腺領域の位置及び前記乳腺領域における乳腺分布を示す推定臨床位置情報を生成する推定臨床位置情報生成手段、
前記乳腺情報生成手段により生成された前記乳房画像における前記乳腺領域に関する情報及び前記推定臨床位置情報生成手段により生成された推定臨床位置情報を前記表示手段に表示させる表示制御手段、
として機能させるためのプログラム。
【手続補正２】
【補正対象書類名】明細書
【補正対象項目名】００１１
【補正方法】変更
【補正の内容】
【００１１】
上記課題を解決するため、請求項１に記載の発明の医用画像システムは、
乳房をＸ線撮影することにより得られた１つ以上の乳房画像を表示する表示手段と、
前記乳房画像から乳腺領域を特定する乳腺領域特定手段と、
前記乳房画像における前記乳腺領域に関する情報を生成する乳腺情報生成手段と、
前記乳房画像における前記乳腺領域の位置及び前記乳房の撮影時にＸ線撮影装置を傾けた角度に基づいて、前記乳房を正面から見たときの前記乳腺領域の位置を推定し、更に、前記乳房画像における前記乳腺領域を複数の領域に分割し、分割した各分割領域内の画素値に基づいて、前記乳房を正面から見たときの前記乳腺領域における乳腺分布を推定する推定手段と、
前記推定手段により推定された前記乳房を正面から見たときの前記乳腺領域の位置及び前記乳腺領域における乳腺分布を示す推定臨床位置情報を生成する推定臨床位置情報生成手段と、
前記乳腺情報生成手段により生成された前記乳房画像における前記乳腺領域に関する情報及び前記推定臨床位置情報生成手段により生成された推定臨床位置情報を前記表示手段に表示させる表示制御手段と、
を備える。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
請求項３に記載の発明は、請求項１又は２に記載の発明において、
前記乳房画像における前記乳腺領域に関する情報は、前記乳房画像上に前記乳腺領域の特定結果を示した画像情報、前記乳房画像における乳腺濃度カテゴリーの情報、又は、前記乳房画像における前記乳腺領域の特徴量の少なくとも一つを含む。
【手続補正６】
【補正対象書類名】明細書
【補正対象項目名】００１６
【補正方法】変更
【補正の内容】
【００１６】
請求項４に記載の発明は、請求項３に記載の発明において、
前記乳腺領域の特徴量は、前記乳房画像における前記乳腺領域の面積、前記乳房画像における乳腺割合、前記乳腺領域と前記乳腺領域外の乳房領域とのコントラスト比の少なくとも一つを含む。
【手続補正７】
【補正対象書類名】明細書
【補正対象項目名】００１７
【補正方法】変更
【補正の内容】
【００１７】
請求項５に記載の発明は、請求項１〜４の何れか一項に記載の発明において、
前記推定臨床位置情報生成手段は、前記乳房の正面を示す画像上に前記推定手段により推定された前記乳房を正面から見たときの前記乳腺領域の位置及び前記乳腺領域における乳腺分布を示した画像を前記推定臨床位置情報として生成する。
【手続補正８】
【補正対象書類名】明細書
【補正対象項目名】００１８
【補正方法】変更
【補正の内容】
【００１８】
請求項６に記載の発明は、請求項１〜５の何れか一項に記載の発明において、
前記乳腺領域特定手段は、前記乳房画像を解析することにより前記乳房画像における乳腺領域を特定する。
【手続補正９】
【補正対象書類名】明細書
【補正対象項目名】００１９
【補正方法】変更
【補正の内容】
【００１９】
請求項７に記載の発明は、請求項１〜５の何れか一項に記載の発明において、
操作手段を備え、
前記乳腺領域特定手段は、前記表示手段に表示された乳房画像から前記操作手段により指定された領域を乳腺領域として特定する。
【手続補正１０】
【補正対象書類名】明細書
【補正対象項目名】００２０
【補正方法】変更
【補正の内容】
【００２０】
請求項８に記載の発明は、請求項１〜７の何れか一項に記載の発明において、
前記表示手段に表示された乳房画像から異常陰影候補領域を指定するための指定手段を備え、
前記推定手段は、更に、前記乳房を正面から見たときの前記異常陰影候補領域の位置を推定し、
前記推定臨床位置情報生成手段は、更に、前記推定手段により推定された前記乳房を正面から見たときの前記異常陰影候補領域の位置を示す推定臨床位置情報を生成し、
前記表示制御手段は、前記乳房を正面から見たときの前記乳腺領域の位置及び前記乳腺領域における乳腺分布を示す推定臨床位置情報及び前記乳房を正面から見たときの前記異常陰影候補領域の位置を示す推定臨床位置情報を同時に前記表示手段に表示させる。
【手続補正１１】
【補正対象書類名】明細書
【補正対象項目名】００２１
【補正方法】変更
【補正の内容】
【００２１】
請求項９に記載の発明は、請求項１〜８の何れか一項に記載の発明において、
前記乳房画像は、ＣＣ画像、ＭＬＯ画像、またはその両方である。
【手続補正１２】
【補正対象書類名】明細書
【補正対象項目名】００２２
【補正方法】変更
【補正の内容】
【００２２】
請求項１０に記載のプログラムは、
コンピュータを、
乳房をＸ線撮影することにより得られた１つ以上の乳房画像を表示する表示手段、
前記乳房画像から乳腺領域を特定する乳腺領域特定手段、
前記乳房画像における前記乳腺領域に関する情報を生成する乳腺情報生成手段、
前記乳房画像における前記乳腺領域の位置及び前記乳房の撮影時にＸ線撮影装置を傾けた角度に基づいて、前記乳房を正面から見たときの前記乳腺領域の位置を推定し、更に、前記乳房画像における前記乳腺領域を複数の領域に分割し、分割した各分割領域内の画素値に基づいて、前記乳房を正面から見たときの前記乳腺領域における乳腺分布を推定する推定手段、
前記推定手段により推定された前記乳房を正面から見たときの前記乳腺領域の位置及び前記乳腺領域における乳腺分布を示す推定臨床位置情報を生成する推定臨床位置情報生成手段、
前記乳腺情報生成手段により生成された前記乳房画像における前記乳腺領域に関する情報及び前記推定臨床位置情報生成手段により生成された推定臨床位置情報を前記表示手段に表示させる表示制御手段、
として機能させる。